(57)【要約】【課題】  勃起不全または勃起不能者が装着することにより、陰茎を勃起状態にさせることが出来、正常に準ずる性交が出来る装着具を提供する。【解決手段】  勃起不全または勃起不能者用の装着具であって、先端用具10を有し、この先端用具は、シリコーンゴム製の一体成型されたそれぞれ筒状の基部101と先端部102を有し、この先端部は、外形が流線型の紡錘状をなし、前記基部より大きな最大径をもち、その先には、射精した精液を放出するための開孔105を有し、さらに、亀頭冠部に徒当接する位置には、１個以上の開口する窓1031,1032を有する装着具。【選択図】          図２
2006230422.tif 000002
【特許請求の範囲】
【請求項１】
樹脂製の一体的に形成された筒状の先端用具10を有し、この先端用具10は、筒状の基部101と先端部102とを有し、先端部102は、外形が流線型の紡錘状をなしており、この先端部102の先端には、射精した精液を放出するための開孔105が設けられており、さらに、亀頭冠部に当接する位置には１個以上の窓が開口していることを特徴とする勃起不全および勃起不能者用装着具。
【請求項２】
樹脂製の一体的に形成された筒状の先端用具を有し、この先端用具は、筒状の基部101と先端部102とを有し、先端部102は、外形が流線型の紡錘状をなしており、この先端部102の先端には、射精した精液を放出するための開孔105が設けられており、さらに、樹脂製の支え板が一体化されていることを特徴とする勃起不全および勃起不能者用装着具。
【請求項３】
前記先端用具には、樹脂製の支え板が一体化されている請求項１の勃起不全および勃起不能者用装着具。
【請求項４】
前記樹脂がシリコーンゴム製で、一体成型されたものである請求項３の勃起不全および勃起不能者用装着具。
【請求項５】
前記支え板は、上部がシリコーンゴムのショアＡ硬度（ＡＳＴＭ−Ｄ４１２）が3５±5であり、下部がシリコーンゴムのショアＡ硬度（ＡＳＴＭ−Ｄ４１２）が80±5である請求項４の勃起不全および勃起不能者用装着具。
【請求項６】
前記支え板の亀頭冠部に対応する位置に、先端部材の先端部に設けた窓と対応した窓を設けた請求項３〜５のいずれかの勃起不全および勃起不能者用装着具。
【請求項７】
前記支え板20は、前記の先端用具の内径先端部103の内周に一体的に設けられるものであり、先端部と基端部とを有し、前記基端部は、２つの支え板部材2011,2012を有する請求項３〜６のいずれかの勃起不全および勃起不能者用装着具。
【請求項８】
支え板20の先端部203は、その先端が封止されており、前記先端用具の前記先端部103と一体的に設けられ、この先端部203は、亀頭冠部に対応する位置を越えて、延伸している請求項３〜７のいずれかの勃起不全および勃起不能者用装着具。
【請求項９】
前記先端用具の先端部前記102は、約10度のそり角度θをもち、前記支え板20は、全長80〜150mmであり、先端部の最大径を25〜40mmとした請求項３〜８のいずれかの勃起不全および勃起不能者用装着具。
【請求項１０】
先端用具の基端側の内周には、散点状に突起104が複数個設けられているか、または、内周の全周にわたって１個または２個以上の環状のリブが設けている請求項３〜９のいずれかの勃起不全および勃起不能者用装着具。
【請求項１１】
前記シリコーンゴム製の一体成型された筒状のシャフト補強用具を有する請求項３〜１０のいずれかの勃起不全および勃起不能者用装着具。
【請求項１２】
前記シャフト補強用具は、シリコーン製の筒状のものであり、外径25〜40mm、内径20〜35mmである請求項１１の勃起不全および勃起不能者用装着具。
【請求項１３】
先端側が基端側より外径・内径とも下に行くにしたがって、1〜5ｍｍ太くなっており、断面は両端と共にＲ加工を有し、外周および内周、または内周のみに、散点状の突起404,405が複数個設けられている請求項１１または１２の勃起不全および勃起不能者用装着具。
【発明の詳細な説明】
【技術分野】
【０００１】
本発明は、勃起不全または勃起不能者が装着して性交を行う際に、陰茎を勃起状態にさせることが出来、正常に準ずる性交が出来る装着具に関する。
【背景技術】
【０００２】
近年、性交の際に、勃起不全や勃起不能者が急増していると言われている。このような症状を持つ人に対しては、従来、シリコーンのインプラント挿入術が行われている。しかし、インプラントの露出する合併症があるため、このような症状では症状の改善が図れないのが実情であった。
そこで、本発明者らは、シリコーンゴム製で一体成型された装着器具として、特願２００３−２８９２８２（特許文献1）、特願２００３−２８９２８３（特許文献２）において、勃起不全または勃起不能者用装着具を提案している。
これらの出願の図２３〜２６の先端用具60は、図２３，２４に示されるように前記シリコーンゴム製の一体成型されたそれぞれ筒状の基部601と先端部602有し、この先端部は外形が流線型の紡錘状をなし、前記基部より大きな最大径をもち、その先端には、射精した精子を放出するための開孔605を有し、その開孔に連通して、亀頭にフィットする第１の中空部603と前記開孔と第１の中空部603とを連通する第２の中空部604とを有する装着用具であった。なお、先の出願の先端用具60は、全長80〜300mmであり、最大径を30〜45mm、基部の肉厚を2〜3mmとし、第2の中空部の長さを8〜20mm、径を8〜15mmとし、第2の中空部から先端側の中実部分の長さを8〜20mmとした。
これら出願のシャフト用具70は、図２５，２６に示されたように、同じシリコーンゴム製の筒状のものであり、所定の長さと径を持つものである。すなわち、外径は25〜35mm、内径20〜28mmとし、肉厚は2〜3mm程度である。
さらに、外周および内周に、散点状の突起を有する装着具も提案されており、外周部の突起704の働きは、性交時の刺激を高める働きをし、内周部の突起705は、ペニスとの密着を高めるためのものであり、先端用具とのフィット性がより増している。
しかし、これらの装着具においては、装着の難しさ、装着後の亀頭における重量感や、直接的刺激感覚の無さ、シャフトの固定の不備と難しさなどがあった。
【０００３】
【特許文献１】特願２００３−２８９２８２号
【特許文献２】特願２００３−２８９２８３号
【発明の開示】
【発明が解決しようとする課題】
【０００４】
本発明の目的は、装着することにより、ペニスを勃起状態にさせることができ、装着した本人にも、亀頭冠部を一部露出することにより、実際的な刺激や直接的感覚が保てるように工夫し、さらに正常に準ずる性交を中折れ状態なく行うことが出来る装着具を提供することである。また、総重量の軽減化や装着時における、装着の不備や手間をなくすための工夫も大きな目的である。
【課題を解決するための手段】
【０００５】
このような目的は、下記の本発明によって達成される。
（１）樹脂製の一体的に形成された筒状の先端用具10を有し、この先端用具10は、筒状の基部101と先端部102とを有し、先端部102は、外形が流線型の紡錘状をなしており、この先端部102の先端には、射精した精液を放出するための開孔105が設けられており、さらに、亀頭冠部に当接する位置には１個以上の窓が開口していることを特徴とする勃起不全および勃起不能者用装着具。
（２）樹脂製の一体的に形成された筒状の先端用具を有し、この先端用具は、筒状の基部101と先端部102とを有し、先端部102は、外形が流線型の紡錘状をなしており、この先端部102の先端には、射精した精液を放出するための開孔105が設けられており、さらに、樹脂製の一体的に形成された筒状の先端用具を有することを特徴とする勃起不全および勃起不能者用装着具。
（３）前記先端用具には、樹脂製の支え板が一体化されている上記（１）の勃起不全および勃起不能者用装着具。
（４）前記樹脂がシリコーンゴム製で、一体成型されたものである上記（３）の勃起不全および勃起不能者用装着具。
（５）前記支え板は、上部がシリコーンゴムのショアＡ硬度（ＡＳＴＭ−Ｄ４１２）が35±5であり、下部がシリコーンゴムのショアＡ硬度（ＡＳＴＭ−Ｄ４１２）が80±5である上記（４）の勃起不全および勃起不能者用装着具。
（６）前記支え板の亀頭冠部に対する位置に、先端部材の先端部に設けた窓と対応した窓を設けた上記（３）〜（５）のいずれかの勃起不全および勃起不能者用装着具。
（７）前記支え板20は、前記の先端用具の内径先端部103の内周に一体的に設けられるものであり、先端部と基端部とを有し、前記基端部は、２つの支え板部材2011,2012を有する上記（３）〜（６）のいずれかの勃起不全および勃起不能者用装着具。
（８）支え板20の先端部203は、その先端が封止されており、前記先端用具の前記先端部103と一体的に設けられ、この先端部203は、亀頭冠部に対応する位置を越えて、延伸している上記（３）〜（７）のいずれかの勃起不全および勃起不能者用装着具。
（９）前記先端用具の先端部前記102は、約10度のそり角度θをもち、前記支え板20は、全長80〜150mmであり、先端部の最大径を25〜40mmとした上記（３）〜（８）のいずれかの勃起不全および勃起不能者用装着具。
（１０）先端用具の基端側の内周には、散点状に突起104が複数個設けられているか、または、内周の全周にわたって１個または２個以上の環状のリブが設けている上記（３）〜（９）のいずれかの勃起不全および勃起不能者用装着具。
（１１）前記シリコーンゴム製の一体成型された筒状のシャフト補強用具を有する前記（３）〜（１０）のいずれかの勃起不全および勃起不能者用装着具。
（１２）前記シャフト補強用具は、シリコーン製の筒状のものであり、外径25〜40mm、内径20〜35mmである上記（１１）の勃起不全および勃起不能者用装着具。
（１３）先端側が基端側より外径・内径とも下に行くにしたがって、1〜5ｍｍ太くなっており、断面は両端と共にＲ加工を有し、外周および内周、または内周のみに、散点状の突起404,405が複数個設けられている上記（１１）または（１２）の勃起不全および勃起不能者用装着具。
【発明を実施するための最良の形態】
【０００６】
図１は、本発明の第１の実施例を示す左側面図であり、図２はその断面図、図３はその正面図である。これらの図に示されているように、この発明の装着具は、全体がシリコーンゴム製の一体的に形成された筒状の先端用具10を有する。先端用具10は、筒状の基部101と先端部102とを有する。基部101は、勃起不全または不能なペニスに上手くフィットするように長さと径を決定している。
【０００７】
先端部102は、勃起時の亀頭の形状に類以させ、挿入とピストン運動がよりスムーズに行え、挿入時におけるＧスポットおよび子宮底にあたる角度θとして、約10度のそり角度をつけ、所定の長さと径に決定されている。このため、外形が流線型の紡錘状をなしている。先端部102の先端には、射精した精液を放出するための開孔105が設けられている。
また、亀頭冠部に当接する位置には左右、上下に１〜２個、図事例では２個の窓1031,1032が左右に開いている。このサイズは、縦横とも5mm〜30mm程度である。尚、窓は先端部102の軸方向に１つのみ設けても良い。
【０００８】
このような場合、全長Ｌは、全長80〜150mm程度とし、基部は、肉厚1〜5mm程度とし、先端部102の最大径Dは、30〜45 mm程度とする。先端部102に設けられている窓1031,1032により、装着者本人の感覚を維持できるだけではなく、窓からわずかに突出する亀頭冠部とパートナーの粘膜との接触が可能となり、触感を高めることができる。これにより、先端用具を装着していても、性交だけではなく、フェラチオなどオーラル行為が可能となった。また、窓を設けても、支え板の存在により亀頭の充分な強度が保たれた。先端用具の基端側の構成として採用した内周には、散点状に突起104が複数個設けられている。また、この突起104に換え、内周の全周にわたって１個または２個以上の環状のリブが設けてもよい。これらは、ペニスとの密着を高めるためのものであり、先端用具とのフィット性がより増しているうえに、中折れ状態になっても、装着具がはずれるのを防ぐ役目もある。
【０００９】
このような一体的な装着具は、先の出願と同様のシリコーンゴムから形成されるが、場合によっては、同様の硬さを持った各種樹脂から形成されていても良い。今回新たな、図１５，１６の支え板20は、図１〜７の先端用具の内径先端部103の内周に一体的に設けられるものである。基端部を構成する２つの支え板部材2011,2012と先端部203とを有する。その先端部203は、その先端が封止されており、先端部103と一体的に設けられている。そして、基端部201は、露出する亀頭冠部に対応する位置を越えて、延伸している。先端用具10の内径先端部103の開孔105に対応する位置には、同様の径を有する開孔205を有する。そして、先端部203の基端部側には、軸方向に延伸する２枚の支え板部材2011,2012がペニスを挟持し、中折れを防止できるように一体的に設けられている。さらに、先端部203の亀頭冠部に対応する位置には、前記同様のサイズの窓2031,2032が設けられている。先端部203および支え板部材の肉厚は、1〜5ｍｍ程度とする。材質については、先の出願と同様のショアＡ硬度（ＡＳＴＭ−Ｄ４１２）5±2を有するものであるが、支え板部材2011,2012の基端部側に設けられた窓2031,2032より上部は、ショアＡ硬度（ＡＳＴＭ−Ｄ４１２）35±5であることが好ましく、また窓2031,2032より下部の部分、すなわち亀頭の下の、陰茎があたる基端部201においては、そのショアＡ硬度（ＡＳＴＭ−Ｄ４１２）は、80±5であることが好ましい。シリコーンとしては、医療用のものであれば良い。そして、シリコーンポリマー80〜95％、シリカ5〜20%、チタニア0.05〜1%、その他フタロシアニン染料やカーボンブラック等を適量含有していても良い。
【００１０】
先端用具１0の図示の例では、基部101の基端に巻き上げ用の鍔106が設けられている。
【００１１】
図１８，１９の巻き上げ棒30は、先端用具を装着するために、より簡単に巻き上げをおこなえるように開発した巻き上げ専用棒である。先端用具を装着し使用するには、ペニスにきちんと密着させ装着をしなければ、用具の効果が現れない。勃起不全または不能なペニスに上手く装着するためには、巻き上げ作業に腕力のかかる部分もあった。しかし、この棒を使用することによって、巻き上げ・装着が簡単になっただけではなく、装着時間も短時間ですむようになった。
【００１２】
尚、以上ではシリコーンゴムを用いた事項を説明してきたが、材質は各種材質から機宜選択することが出きる事は言うまでもない。
【００１３】
この巻き上げ棒30は、たとえばアルミニューム等の金属などの各種材質で形成された筒状のものであり、全長は、100〜200mm程度とし、肉厚は、1〜2mm程度であり、先端部の最大径Dは、20〜40 mm程度とする。
【００１４】
図８〜１４には、第２の実施例が示される。この例のものは、第１例と同じ図番で示されているので、説明は省略する。ただし、ペニスのサイズに個人差があるように、図１〜７の第１の実施例と図８〜１４の第２の実施例では、若干、全長や先端部外径・内径先端部に違いを施し、図８〜１４の第２の実施例のほうが全長において約10mm、先端部外径において約4mm、内径先端部において約4mm大きめに形成されている。尚、肉厚については、その限りではない。
【００１５】
前記支え板20は、先端用具10の内側に、支え板として取り付けるものである。取り付け方は、前記の要領で、先端部203と、先端用具10の内径先端部103が密着するように、液状シリコーンを使用し、過熱による接着・成型を行う。この場合、窓103１,1032の位置や、開孔105および205の位置が合致しなければならない。これにより、装着時の巻き上げを容易にするとともに、中折れ状態を克服し、さらに勃起不能者でも簡単に装着できるようになった。また、シリコーンの硬度を違えることにより、より密着度が増し、性行為の男性側の接触感が増加し、シャフト部分の強度が増した。
【００１６】
さらに、図２２に示される手押さえシート50は、先端用具10やシャフト補強用具40を装着する場合の付属商品である。装着時の陰毛が用具に挟まったり、邪魔になったりするのを防ぐことに使用する。シートは不織布などを使用し、縦120〜150mm程度、横150〜180mm程度の広さで、シートの中心を基点に×点と同じような切込みを入れる。切り込みは50〜70mm程度が良い。装着は、切り込みの×点に、ペニスをくぐらせ、根元まで下げて陰毛をカバーする。
【００１７】
このような先端用具を装着するには、以下のようにすればよい。
先ず、前記の陰毛をカバーする毛押さえシート50をペニスの根元に装着する。次に巻き上げ専用棒30を用意する。先端用具10の中に、巻き上げ棒30を入れ、基端部から先端に向かって、充分に巻き上げる。巻き上がったら、巻き上げ棒をはずし、先端用具をペニスの亀頭先端に当て、亀頭冠部が窓から露出するようにセットし、これをゆっくり根元に沿って巻き戻す。
【００１８】
次に、シャフト補強用具40を準備する。図２０，２１に示されるように、シャフト補強用具40は、同じシリコーン製の筒状のものであり、所定の長さと外径をもち、前述したのと同様の肉厚をもつものである。すなわち、外径は25〜40mm、内径20〜35mmとする。また、上下の区別をつけるために、外径・内径とも下に行くにしたがって、1〜5ｍｍ程度太くし、断面は両端と共にＲ加工し、より装着しやすくした。また、外周および内周、または内周のみに、散点状の突起404、405が複数個設けられている。このうち、外周部の突起404の働きは、性交時の刺激を高める働きをし、内周部の突起405は、ペニスとの密着を高めるためのものであり、先端用具とのフィット性がより増している。突起404,405の位置、すなわち外周と内周との突起位置をずらしたのは、突起物により厚みが増すのを防ぐ要素からである。
このようなシャフト補強用具は、先端用具を装着した後、このシャフト補強用具の端部側から両手の人差し指と中指を挿入して開き、これを陰茎の根元に装着する。
最後に、毛押さえシート50を、ゆっくりと抜く。
【産業上の利用可能性】
【００１９】
本発明によれば、勃起不全および勃起不能者用装着具を装着することにより、勃起不能なペニスを勃起状態にさせることができ、なおかつ、男性にとって、もっとも敏感な亀頭冠部を露出させる窓を設けることにより、装着者本人の性交感触も高めることができ、その結果、正常に近い性交を中折れなく行うことが可能となる。
【実施例】
【００２０】
次に、本発明の効果を説明するために、装着具をシリコーンゴムにより試作した。このものを患者である本発明の発明者の一人に装着させた。
【００２１】
患者である発明者の一人、友定一幸に対し、医者である発明者の他の一人、岩井武尚による診断内容は次のとおりである。
【００２２】
一，病名    勃起不能
一，附記    患者は勃起不能の診断のもと、シリコーンインプラント挿入術を施行するも、感染のためインプラントが露出のため、症状の改善は図れなかった。今回新たに開発されたシリコーン用具を装着することによって、性交満足度の著しい改善が見られた。すなわち、中折れなく陰茎を勃起状態させることができ、正常位、後背位にて正常に近い性交が可能になった。さらに亀頭冠部を露出させることにより、性交感触を確かめることができた。さらに、射精感を得ることができたと述べた。
【図面の簡単な説明】
【００２３】
【図１】先端用具の第１の実施例を示す左側面図である。
【図２】先端用具の第１の実施例を示す断面図である。
【図３】先端用具の第１の実施例を示す正面図である。
【図４】先端用具の第１の実施例を示す右側面図である。
【図５】先端用具の第１の実施例を示す背面図である。
【図６】先端用具の第１の実施例を示す平面図である。
【図７】先端用具の第１の実施例を示す底面図である。
【図８】先端用具の第２の実施例を示す左側面図である。
【図９】先端用具の第２の実施例を示す断面図である。
【図１０】先端用具の第２の実施例を示す正面図である。
【図１１】先端用具の第２の実施例を示す右側面図である。
【図１２】先端用具の第２の実施例を示す背面図である。
【図１３】先端用具の第２の実施例を示す平面図である。
【図１４】先端用具の第２の実施例を示す底面図である。
【図１５】支え板の実施例を示す正面図である。
【図１６】支え板の実施例を示す断面図である。
【図１７】支え板の実施例を示す平面図である。
【図１８】巻き上げ棒の実施例を示す正面図である。
【図１９】巻き上げ棒の実施例を示す断面図である。
【図２０】シャフト補強用具の実施例を示す正面図である。
【図２１】シャフト補強用具の実施例を示す端面図である。
【図２２】手押さえシートの実施例を示す正面図である。
【図２３】従来の先端用具の第１実施例を示す正面図である。
【図２４】従来の先端用具の第１実施例を示す断面図である。
【図２５】従来のシャフト用具の実施例を示す正面図である。
【図２６】従来のシャフト用具の実施例を示す端面図である。
【符号の説明】
【００２４】
１０      先端用具
１０１    基部
１０２    先端部
１０３    内径先端部
１０３１，１０３２    窓(ウインドー)
１０４    突起
１０５    開孔
１０６    鍔
２０      支え板
２０１    基端部
２０１１，２０１２    支え板部材
２０３    先端部
２０３１，２０３２    窓（ウインドー）
２０５    開孔
３０      巻き上げ棒
４０      シャフト補強用具
４０４    外周の突起
４０５    内周の突起
５０      毛押さえシート
６０      従来の先端用具
６０１    基部
６０２    先端部
６０３    第１中空部
６０４    第２中空部
６０５    開孔
７０      従来のシャフト用具
７０４    外周の突起
７０５    内周の突起
【図１】
2006230422.tif 000003
【図２】
2006230422.tif 000004
【図３】
2006230422.tif 000005
【図４】
2006230422.tif 000006
【図５】
2006230422.tif 000007
【図６】
2006230422.tif 000008
【図７】
2006230422.tif 000009
【図８】
2006230422.tif 000010
【図９】
2006230422.tif 000011
【図１０】
2006230422.tif 000012
【図１１】
2006230422.tif 000013
【図１２】
2006230422.tif 000014
【図１３】
2006230422.tif 000015
【図１４】
2006230422.tif 000016
【図１５】
2006230422.tif 000017
【図１６】
2006230422.tif 000018
【図１７】
2006230422.tif 000019
【図１８】
2006230422.tif 000020
【図１９】
2006230422.tif 000021
【図２０】
2006230422.tif 000022
【図２１】
2006230422.tif 000023
【図２２】
2006230422.tif 000024
【図２３】
2006230422.tif 000025
【図２４】
2006230422.tif 000026
【図２５】
2006230422.tif 000027
【図２６】
2006230422.tif 000028